(57)【要約】      （修正有）【課題】様々な対象物に対し手間を要することなく適度な固定力で着脱自在に設けられるようにした装飾用のワッペンを提供する。【解決手段】ワッペン１Ａは、基布２０の表面に装飾２１を施したワッペン本体２を、平板状部材３０の裏面側に対象物への固定手段である安全ピン３１を備えた装着用アタッチメント３Ａの表面に、ワッペン本体の裏面に設けた接着体で着脱自在に取り付けてなる。接着体は、ワッペン本体側の接着力が装着用アタッチメント側の接着力よりも強くワッペン本体を装着用アタッチメントから引き剥がす操作でワッペン本体から分離されずに装着用アタッチメントから分離されるものとし、対象物に固定される装着用アタッチメントと装飾用のワッペン本体との間で着脱操作の繰り返しが可能とされている。【選択図】図１
0003216986.tif 000002
【実用新案登録請求の範囲】
【請求項１】
基布の表面に装飾を施したワッペン本体を、平板状部材の裏面側に対象物への固定手段を備えた装着用アタッチメントの表面に、前記ワッペン本体の裏面に設けた接着体で着脱自在に取り付けてなるワッペンであって、前記接着体は、前記ワッペン本体側の接着力が前記装着用アタッチメント側の接着力よりも強く前記ワッペン本体を前記装着用アタッチメントから引き剥がす操作で前記ワッペン本体から分離されずに前記装着用アタッチメントから分離されるものとして、前記対象物に固定される前記装着用アタッチメントと装飾用の前記ワッペン本体との間で着脱操作の繰り返しが可能とされている、ことを特徴とした着脱式ワッペン。
【請求項２】
前記接着体は、シート状の基体の一方の面に粘着剤が塗布され他方の面に熱溶着性接着剤が塗布された三層構造からなり、前記熱溶着性接着剤が前記ワッペン本体に熱溶着されて固定されている、ことを特徴とする請求項１に記載した着脱式ワッペン。
【請求項３】
前記平板状部材は、その正面視形状が前記ワッペン本体の正面視形状と略一致しながらその外縁側の一部分が所定形状に切り欠かれた切欠部を有しており、該切欠部で前記接着体の一部が露出している部分における前記ワッペン本体の端縁側を把持して湾曲させながら引き剥がすことにより、前記ワッペン本体が前記装着用アタッチメントから分離される、ことを特徴とする請求項１又は２に記載した着脱式ワッペン。
【請求項４】
前記装着用アタッチメントの固定手段は安全ピンである、ことを特徴とした請求項１，２又は３に記載した着脱式ワッペン。
【考案の詳細な説明】
【技術分野】
【０００１】
本考案は、様々な対象物にワッペンによる装飾を着脱自在の状態で設けることが可能な着脱式ワッペンに関する。
【背景技術】
【０００２】
所定形状の基布表面に刺繍やプリント等による装飾を施したワッペンは、衣服等の対象物表面に基布の外周側を縫い付けて設けることのほか、基布裏面に塗布した熱溶着性接着剤をアイロン等の加熱手段で溶着させたり基布の一部に設けた安全ピン等の固定手段で係止したりして設けられるのが一般的である。
【０００３】
しかし、対象物が厚い生地や皮革である場合は、針が貫通しにくいことでワッペンの縫い付け作業が困難となりすく、熱溶着性接着剤で溶着する場合でも、対象物の裏面から当てたアイロンの熱が熱溶着性接着剤まで伝わりにくかったり対象物表面の凹凸構造で接着面が密着しにくかったりするため、確実な固定が難しい場合も多い。
【０００４】
また、これらのワッペンを固定した後に、対象物から取り外して使用する場合は、縫製や熱溶着による固定ではワッペンを取り外すのに手間を要することに加え、ワッペンを固定していた部分に跡が残って見栄えを悪くしてしまう。さらに、近年ではワッペンを家具やスマホケース等の衣服以外のものに装飾目的で設けたいというニーズも増加しているが、上述した方式で固定するのが困難な場合も多い。
【０００５】
そこで、基布の裏面に両面テープを貼付して対象物に対し着脱自在に設けることも考えられるが、両面テープは基布に対する接着力が対象物に対する接着力よりも強くならないことから、取り外す際に基布から剥がれて対象物側に残りやすい。そのため、実開平７−１０７６７号公報には、ワッペン本体を構成しているフエルト等の基布に、常温で繰り返し使用可能な特殊粘着エラストマーによる粘着シートを接着剤で半永久的に接着・固定することにより、ワッペン本体の粘着シート側を様々な固形物に対し着脱自在に固定する方式も提案されている。
【０００６】
しかしながら、このように特殊な粘着シートを設けて対象物に着脱自在に設ける方式であっても、対象物の素材によっては貼り付けが難しいケースもあることに加え、様々な装飾を楽しむために粘着シートを介した着脱操作を複数回繰り返すことで粘着シートにおける接着力の低下を招きやすいという難点がある。また、このようなワッペンを衣服に設けたまま洗濯すれば、容易に脱落するとともに以後の接着力が大幅に低下してしまうという問題もある。
【先行技術文献】
【特許文献】
【０００７】
【特許文献１】実開平７−１０７６７号公報
【考案の概要】
【考案が解決しようとする課題】
【０００８】
本考案は、上記のような問題を解決しようとするものであり、装飾用のワッペンについて、様々な対象物に対し手間を要することなく適度な固定力で着脱自在に設けられるようにすることを課題とする。
【課題を解決するための手段】
【０００９】
そこで、本考案は、基布の表面に装飾を施したワッペン本体を、平板状部材の裏面側に対象物への固定手段を備えた装着用アタッチメントの表面に、ワッペン本体の裏面に設けた接着体で着脱自在に取り付けてなるワッペンであって、その接着体は、ワッペン本体側の接着力が装着用アタッチメント側の接着力よりも強くワッペン本体を装着用アタッチメントから引き剥がす操作でワッペン本体から分離されずに装着用アタッチメントから分離されるものとして、対象物に固定される装着用アタッチメントと装飾用のワッペン本体との間で着脱操作の繰り返しが可能とされている、ことを特徴とする着脱式ワッペンとした。
【００１０】
このように、ワッペンを装飾のあるワッペン本体と対象物側に固定される装着用アタッチメントとに分け、ワッペン本体側に設けた接着体を介して装着用アタッチメントとの間でワッペン本体を着脱自在なものとしたことで、対象物に固定可能な固定手段を用いれば装着用アタッチメントを介してワッペン本体を対象物に容易に取り付けられるとともに容易に取り外せるようになるため、ワッペンによる装飾を様々な対象物に対し手間を要することなく着脱自在に設けることが可能なものとなる。
【００１１】
また、この着脱式ワッペンにおいて、その接着体は、シート状の基体の一方の面に粘着剤が塗布され他方の面に熱溶着性接着剤が塗布された三層構造からなり、その熱溶着性接着剤がワッペン本体に熱溶着されて固定されている、ことを特徴としたものとすれば、その接着体を構成する三層構造のシートをアイロン等でワッペン本体の基布裏面に接着・固定して容易に作成することができる。
【００１２】
さらに、上述した着脱式ワッペンにおいて、その装着用アタッチメントの平板状部材は、その正面視形状がワッペン本体の正面視形状と略一致しながらその外縁側の一部分が所定形状に切り欠かれた切欠部を有しており、その切欠部で接着体の一部が露出している部分のワッペン本体の端縁側を把持して湾曲させながら引き剥がすことにより、ワッペン本体が装着用アタッチメントから分離されることを特徴としたものとすれば、装着用アタッチメントからワッペン本体を分離する操作が容易なものとなる。
【００１３】
さらにまた、上述した着脱式ワッペンにおいて、その装着用アタッチメントの固定手段は安全ピンであることを特徴としたものとすれば、針の穿刺が可能である限り、様々な対象物に対して装着用アタッチメントの固定操作を容易に行えるともに、確実な固定状態を確保しやすいものとなる。
【考案の効果】
【００１４】
着脱式ワッペンをワッペン本体と装着用アタッチメントとに分けてワッペン本体側に設けた接着体を介し装着用アタッチメントとの間でワッペン本体を着脱自在の状態で取り付けた本考案によると、様々な対象物に対し手間を要することなく適度な固定力で着脱自在に設けられるものとなる。
【図面の簡単な説明】
【００１５】
【図１】（Ａ）は本考案における実施の形態である着脱式ワッペンの正面図、（Ｂ）は（Ａ）の着脱式ワッペンの背面図である
【図２】（Ａ）は図１（Ａ）の着脱式ワッペンの縦断面図、（Ｂ）は（Ａ）の着脱式ワッペンの装着用アタッチメントをワッペン本体から取り外した状態を示す縦断面図である。
【図３】（Ａ）（Ｂ）（Ｃ）は、図２（Ａ）の着脱式ワッペンの応用例を示す側面図である。
【考案を実施するための形態】
【００１６】
以下に、図面を参照しながら本考案を実施するための形態を説明する。
【００１７】
図１（Ａ）は、本実施の形態である着脱式ワッペン１Ａを正面図で示しており、図（Ｂ）はその背面図である。この着脱式ワッペン１Ａは、フエルトによる基布２０の表面に刺繍による装飾２１を施してなるワッペン本体２と、平板状部材３０の裏面側に対象物への固定手段である安全ピン３１を備えた装着用アタッチメント３Ａと、ワッペン本体２の裏面に設けた接着体４（図４参照）からなるものである。
【００１８】
その装着用アタッチメント３Ａは、塩化ビニル等の樹脂製で薄手の平板状部材３０の裏面に、取付用基部３２を介して安全ピン３１が設けられており、この安全ピン３１を使用して被服等の対象物に取り付けることで固定されるものである。そして、この装着用アタッチメント３Ａの表面に、装飾２１を有したワッペン本体２が接着体４を介して着脱自在の状態で固定されており、この点が本考案における最大の特徴部分となっている。
【００１９】
即ち、着脱式ワッペン１Ａを装着用アタッチメント３Ａとワッペン本体２に分けて、対象物に固定する装着用アタッチメント３Ａを構成する平板状部材３０の表面に、後述する接着体４を裏面に設けたワッペン本体２を着脱自在に設ける方式を採用したものである。そのため、針が穿刺できるものである限り対象物への装着作業が極めて容易になり、且つ、装着用アタッチメント３Ａを取り外した際に対象物に残る装着跡を最小限に抑えることができる。
【００２０】
図２（Ａ）の縦断面図を参照して、上述した接着体４は、シート状の基体４ａと、基体４ａの一方の面に塗布された粘着剤による粘着層４ｃと、基体４ａの他方の面に塗布された熱溶着性接着剤による接着層４ｂの三層構造からなり、その接着層４ｂがワッペン本体３Ａの基布２０裏面に熱溶着で固定されたものとなっている。このような構成としたことで、接着体４の接着層４ｂ側をワッペン本体２の基布２０裏面に密着させながらアイロン等で押圧して加熱することで、接着体４をワッペン本体２に半永久的に固定して設けることができる。
【００２１】
本実施の形態における接着体４は、ワッペン本体２側の接着力が装着用アタッチメント３Ａ側の接着力よりも強く、ワッペン本体２を装着用アタッチメント３Ａから引き剥がす操作でワッペン本体２から分離されずに装着用アタッチメント３Ａから跡を残さずに分離されるようになっている。
【００２２】
尚、この接着体４としては、例えばポリエステルフィルムによる基体４ａの一方の面にアクリル系粘着剤による粘着層４ｃを設け、他方の面にＥＶＡ系の熱溶着性接着剤による接着層４ｂを設けたものが好適であり、この場合、アクリル系粘着剤の選択によっては粘着層４ｃ側も対象物への熱溶着を可能なものとすることができる。
【００２３】
そして、合成樹脂からなる平板状部材３０の平滑な表面に粘着層４ｃを介してワッペン本体２を接着する構成であることから、その部分で着脱操作を繰り返した場合でもその接着力は低下しにくいものであるため、対象物に固定される装着用アタッチメント３Ａと装飾用のワッペン本体２との間で着脱操作を繰り返し行うことを可能としており、この点も本実施の形態における重要な特徴部分となっている。
【００２４】
そのため、衣服等の対象物に装着用アタッチメント３Ａを固定し、これにワッペン本体２を取り付けてしばらく使用した後で、図２（Ｂ）に示すようにワッペン本体２を装着用アタッチメント３Ａから取り外すとともに、異なる装飾を施したワッペン本体２を貼付することにより、極めて容易な手順で装飾の交換による模様替えを行うことができる。
【００２５】
また、取り外したワッペン本体２は、スマホケースや家具、或いは厚手のキャンバス地や皮革製品等、装着用アタッチメント３Ａの安全ピン３１では固定しにくい対象物であっても、その粘着層４ｃを介して貼り付けながら装飾として使用することもできる。また、本実施の形態の着脱式ワッペン１Ａを取り付けた衣服を洗濯する場合は、安全ピン３１の部分で着脱式ワッペン１Ａ取り外すことで、接着体４による装着用アタッチメント３Ａへの接着力の低下を招くことを回避することができる。
【００２６】
さらに、本実施の形態では、図１（Ｂ）に示すように、その装着用アタッチメント３Ａの平板状部材３０は、その正面視形状がワッペン本体２の正面視形状とほぼ一致した円形とされながら、その外縁側の一部分が弧状に切り欠かれた切欠部３０ａを有したものとなっている。これにより、その切欠部３０ａで接着体４の一部が露出した部分においてワッペン本体２の端縁側を把持して湾曲させながら引き剥がすことにより、ワッペン本体２を装着用アタッチメント３Ａから容易に分離させることができる。
【００２７】
図３（Ａ），（Ｂ），（Ｃ）は、図１の着脱式ワッペン１Ａの応用例としての着脱式ワッペン１Ｂ，１Ｃ，１Ｄを示している。図（Ａ）の着脱式ワッペン１Ｂは、安全ピン３１の代わりに固定手段としてクリップ３４を設けた装着用アタッチメント３Ｂとしており、針穴を開けることなく被服のポケット等に係止して固定することができる。
【００２８】
また、図３（Ｂ）の着脱式ワッペン１Ｃは、固定手段としてマグネットテープ３５を設けた装着用アタッチメント３Ｃとしており、安全ピン３１による固定が出来ないスチール家具等の磁性体製品に対し、装着用アタッチメント３Ｃを磁気吸着にて着脱自在に固定することができる。
【００２９】
さらに、図３（Ｃ）の着脱式ワッペン１Ｄは、固定手段として一対の面状ファスナの一方からなる係着シート３６を設けた装着用アタッチメント３Ｄとしており、一対の面状ファスナの他方を縫い付け又は接着により固定した対象物に対し装着用アタッチメント３Ｄを着脱自在に固定することが可能なものとなっている。
【００３０】
尚、上述した実施の形態において、そのワッペン本体２としてフエルト製の基布２０に刺繍による装飾２１を設けた場合を説明したが、その基布としてはフエルトに限定されるものではなく、異なる種類の不織布のほか織布やニットであっても良く、また、その装飾は刺繍に限定されるものではなく、プリントや転写等の異なる方式のものであっても良いことは言うまでもない。また、装着用アタッチメントの固定手段としては、上述したものに限定されるものではなく、確実な固定が実現される限り、様々な方式のものを使用することができる。
【００３１】
以上、述べたように、装飾用のワッペンについて、本考案により、様々な対象物に対し手間を要することなく、適度な固定力で着脱自在に設けられるようになった。
【符号の説明】
【００３２】
１Ａ，１Ｂ，１Ｃ，１Ｄ  着脱式ワッペン、２  ワッペン本体、３Ａ，３Ｂ，３Ｃ，３Ｄ  装着用アタッチメント、４  接着体、２０  基布、２１  装飾、３０  平板状部材、３０ａ  切欠部、３１  安全ピン、３４  クリップ、３５  マグネットテープ、３６  係着シート
【図１】
0003216986.tif 000003
【図２】
0003216986.tif 000004
【図３】
0003216986.tif 000005